(57)【要約】      （修正有）【課題】ハンガーに吊るした目的の物が選び出し易く、取り外しが簡単で、他の物を取り出す際にも一緒に外れる事の無いハンガーを提供する。【解決手段】目的の物をハンガーに吊るした際、リングハンガーに備えられたバネ機構Ｄ２により、停止棒Ａと、回転掛け棒Ｂが略平行な位置で停止するため、外力を加えない自然な状態では外れにくく、外したい場合には、指で押す動作をするだけで簡単に外れることを特徴とする。前記回転掛け棒に外力を加えたときに、停止棒と回転掛け棒を固定するため、リングＤ１の回転を抑止するブレーキ機構Ｃを設けた。支柱の上端にフック部を設けことにより３６０度回転し、支柱はジョイント機構を有する複数個の支柱部品からなるため長さが自由に変えられる。同時にハンガーの脱落を防止するためのストッパーを、１つ以上設けたため、回転やストップの動作がスムースに行えることを特徴とする。【選択図】図１
0003102341.tif 000002
【実用新案登録請求の範囲】
【請求項１】
円柱形の支柱と、該支柱の外縁に備えられた１以上のリングハンガーからなるハンガーであって、前記リングハンガーは、停止棒と、前記支柱を中心に回転可能に備えられた回転掛け棒と、バネ機構とを備え、外力を加えない状態では、前記バネ機構により、前記停止棒と前記回転掛け棒とが略平行の位置で停止することを特徴とするハンガー。
【請求項２】
請求項１に記載のハンガーであって、前記停止棒は、前記支柱を中心に回転可能に備えられ、前記リングハンガーに、前記回転掛け棒に対して回転方向の外力を加えたときに前記停止棒の回転を抑止するためのブレーキ機構を設けたことを特徴とする、請求項１に記載のハンガー。
【請求項３】
請求項１または請求項２に記載のハンガーであって、前記支柱の上部に吊り下げ部を設けたことを特徴とする、請求項１または請求項２に記載のハンガー。
【請求項４】
請求項１ないし請求項３に記載のハンガーであって、前記支柱に、前記リングハンガーの脱落を防止するための脱落防止部を１つ以上設けたことを特徴とする、請求項１ないし請求項３に記載のハンガー。
【請求項５】
請求項１ないし請求項４に記載のハンガーであって、前記支柱はジョイント機構を有する複数個の支柱部品からなることを特徴とする、請求項１ないし請求項４に記載のハンガー。
【考案の詳細な説明】
【技術分野】
【０００１】
本考案は、目的のネクタイやスカーフ、ベルト、ズボン等ハンガーに吊るした物が選び出し易く、取り外しが簡単で、一旦取り付けると自然な状態では外れにくく、外したい時には、指で押す動作をするだけで簡単に外れることを特徴とする、回転及び長さ自在のハンガーに関する。
【背景技術】
【０００２】
従来、ネクタイやスカーフ、ベルト、ズボン等のハンガーの形状としては、種々の物が考案されている。例えば、ネクタイの場合を例にとってみると、ハンガー型の物や、上端部にフック部を有し、下部に横棒を数本取り付け、ネクタイを掛け止めできるようにした物や、ＴＭ式ネクタイハンガーのように、横にスライドする物などがある。
【０００３】
前記ハンガー型の物は、嵩張る割にネクタイ等の収納数が少なく、目的のネクタイ等を取り出す際、上下のネクタイが滑り落ちることが多い。
【０００４】
また、上端部にフック部を有し、下部に横棒を数本取り付け、ネクタイを掛け止めできるようにした物は、収納本数は多いが、フック部を釣り下げ、ネクタイ等を掛ける際、上下左右のバランスを保ちながら挟持させているため、取り外しの際バランスを崩すことがあり、必要とするネクタイ等を取り出す際、必ずといってよい位、上下のネクタイ等が一緒に外れるという欠点がある。
【０００５】
前記、横にスライドするＴＭ式ネクタイハンガーは、多量に収納できるが本体の取り付け場所が固定されてしまう上に、ネクタイ等を横にスライドさせる横棒に引っ掛けるだけなので、やはり、ネクタイ等を取り外す際や、引っ掛けるための横棒をスライドさせる際に他のネクタイ等が外れるという欠点がある。その他、下記のような先行文献がある。
【特許文献１】実開昭５１−６４２３４
【特許文献２】実開昭５２−３２４２７
【特許文献３】特開２０００−０３７２７８
【特許文献４】特開２００３−３２５３０１
【考案の開示】
【考案が解決しようとする課題】
【０００６】
上記、従来のネクタイやスカーフ、ベルト、ズボン等に用いるハンガーが有する、必要な物を取り出す際、一緒に他の物が外れるという欠点を解消する。
【課題を解決するための手段】
【０００７】
円柱形の支柱と、該支柱の外縁に備えられた１以上のリングハンガーからなるハンガーであって、前記リングハンガーは、前記支柱の外縁に備えられたリングハンガーに横設された停止棒と回転掛け棒からなる。前記停止棒と前記回転掛け棒との間に備えられたバネ機構により外力を加えない状態では停止棒と回転掛け棒が略平行な位置で停止することを特徴とするハンガー。
【０００８】
前記記載のハンガーであって、前記停止棒は、前記支柱の外縁に回転可能に備えられ、回転掛け棒に外力を加えたときに、前記停止棒の回転を抑止するブレーキ機構を設けたことを特徴とするハンガー。
【０００９】
前記、リングハンガーであって、前記支柱の上端にフック部を設けたことを特徴とする。
【００１０】
前記、リングハンガーであって、前記支柱に前記リングハンガーの脱落を防止するためのストッパーを、１つ以上設けたことを特徴とする。
【００１１】
前記、リングハンガーであって、前記支柱はジョイント機構を有する複数個の支柱部品からなることを特徴とする。
【考案の効果】
【００１２】
本考案は、上記の特徴により、停止棒と、回転掛け棒が、ネクタイ等をしっかりと挟み込むため、ネクタイ等が容易に外れることがない。また停止棒と、回転掛け棒との隙間が、略ネクタイ等の厚みに等しい位に設定し、回転掛け棒の上端にはネクタイ等が滑り落ちるのを防止するため凸凹を設けるか薄いゴム状のシートを貼付することにより、脱落防止効果を高めることができる。
【００１３】
しかも、取り付け、取り外しの際は、回転掛け棒を指で押すだけで停止棒が横設されているリング内側に取り付けたブレーキ機構が、中心支柱をしっかり挟むため、停止棒は回転しない。そのため、回転掛け棒のみが回転し、簡単に取り付け取り外しが出来る。
【００１４】
また、中心支柱の外縁に設けられたリングハンガー部分が、３６０度回転自在に回るため、リングハンガーを一列に揃えることにより、洋服ダンスやクロゼットの中で縦方向の平面となり、収納の際に場所を取らない。また、取り出す際にも、３６０度回転するため、ネクタイ等の選択が容易である利点がある。
【００１５】
中心支柱の上端にフック部を設けたことにより、取り付け、吊り下げ場所を選ぶ事無く、竿状の物や鴨居など殆どの場所に設置できるため、家庭用ばかりでは無く、陳列用にも利便が良い。また、中心支柱はジョイント形式になっているため、狭い場所とか高さが足りない場所でも、それに応じた長さを接続することで、きちんと納まるため、個々に必要な長さを設定できる。
このように、取り付け場所を選ばないばかりでなく、従来の問題点である、洋服ダンスやクロゼットの中で扱いにくく、滑り落ちるといった欠点が解消され、しっかり止まることにより、皺や歪みを招くことが無い。
【実施例１】
【００１６】
以下、添付図面を参照して本考案に関する回転及び長さ自在のハンガーの実施例を説明する。
【００１７】
図１は、本考案の回転及び長さ自在のハンガー全体の分解斜視図である。このハンガー全体の中心部には、吊り下げるための支柱よりわずかに離間した径を貫設することにより、ハンガーは支柱を中心に回転できる。
前記、ハンガーの上端部には中心支柱径とハンガー径の略中間くらいの径で数ミリ凹設、下面には同径で凸設しておく。上面の凹部には、ハンガーがスムーズに回転できるよう同サイズのフエルト等をハンガーどうしの接点と前記リングハンガー脱落防止用ストッパー上に設置する。
【００１８】
ハンガー中心部は、円柱形の中央を支柱よりわずか離間した径を貫設した形状をしており、上部と下部に分かれている。ハンガー上部には、一部欠成したリング部に横設した停止棒Ａ、ハンガー下部にはリング部に横設した回転掛け棒Ｂが設けられており、上部には回転掛け棒Ｂが回転した際、他の部分を回転させないためのブレーキ機構Ｃが中心支柱外周部で、前記停止棒Ａの内側に取り付けられている。このブレーキ操作は、回転掛け棒Ｂを押すことにより働く。下部には、圧縮バネを通設するためのリングＤ１が内設されており、リングＤ１は回転掛け棒Ｂを貫通している。リングＤ１の略１/３範囲に圧縮バネＤ２が取り付けられている。上記、回転掛け棒Ｂに取り付けられたバネ機構により、停止棒Ａと回転掛け棒Ｂがネクタイ等をしっかりと挟み込み、回転掛け棒Ｂに外力を加えない限り、停止棒Ａと回転掛け棒Ｂが、略平行な状態を保つ。
【００１９】
図２は、リングハンガーの圧縮機構部であり、回転掛け棒ＢとリングＤ１との接点にリングＤ１をはめ込むための穴を貫設、そのリングの略１/３部分に圧縮バネＤ２を具設する。残りの２/３部分との間は壁面で隔てられており、前記壁面にはリングＤ１の設置位置高さに溝を設けている。それによりリングＤ１が安定して収まる。圧縮バネＤ２の長さ、径、過重は、停止棒Ａの下部に回転掛け棒Ｂが、平行に留まるように設定する。回転掛け棒Ｂに外力を加えると、圧縮バネＤ２は圧縮されるが、回転掛け棒Ｂの外力を外すと、圧縮バネＤ２による元に戻そうとする力で、回転掛け棒Ｂは元の位置に戻る。
【００２０】
図３は、回転掛け棒Ｂに外力を加えた際、停止棒Ａと支柱との間にブレーキをかけるためのブレーキ機構Ｃの位置関係図である。ブレーキ機構Ｃは、円柱形の中心支柱の外周部にわずか離間して周設され、停止棒Ａと回転掛け棒Ｂの略反対側に取り付ける。
【００２１】
図４は、ハンガーの上面と下面を仕切る仕切り板に設けられた壁面の関連を示す図である。上面と下面を仕切る円板の下面には、前記ハンガー下部に設けた壁面に接触する位置に突出した壁面を設け、リング高さの溝部を設ける。これにより、圧縮バネをはめ込むリングは下面と上面から挟み込むことになり、いっそう安定して固定できるとともに、ブレーキ機構部の固定にもなる。その、位置関係は図４−３に示すように、反時計周りに１・４・５・２・３・６の順に組み込む。
【００２２】
図５は、ブレーキ機構Ｃに接続する締部となる薄板バネＣ１である。円柱形の中心支柱にわずか離間して薄板バネＣ１を周設する。薄板バネＣ１は、超薄板で横手方向に長い、長方形状をしており、一端部は略三角形状に細めてゆき、微小孔イを設け、他端部ロは長方形状のままにし円孔ロを設ける。円孔は薄板バネＣ１の外側に設けられている、停止棒Ａが付設されたリングに固着しておく。薄板バネＣ１の内側面には、ブレーキ機構Ｃが、ブレーキを掛けた際、中心支柱をしっかり挟持するために、摩擦材として弾力性の有る、薄いゴム状板などを貼付する。
【００２３】
図６は、ブレーキ機構Ｃの平面図と断面図である。前記上部と下部の間を仕切る円板上面に、ブレーキ機構下面で円板の略１/６大のブレーキ機構基盤部Ｃ３を固着する。取り付けは、平板Ｃ２の孔部を基盤Ｃ３に軸着後、ビス留めネジの厚み分の隙間を設けて四隅を固着する。平板Ｃ２は、一端に微小孔ハ、ホ、多端に円孔ニが設けられた略勾玉形に近い無定型の平板である。Ｃ１の微小孔イ、はＣ２の微小孔ハと繋着する。Ｃ２の円孔ニは、小サイズのスタットボルト状ボルトを用い基盤Ｃ３に遊嵌する。
【００２４】
Ｃ２の３つめの穴部ホには細ワイヤー線Ｃ４を繋ぎ、このワイヤー線Ｃ４の別の端部は、回転掛け棒Ｂ上面部（ヘ）に、ビスで止める。なお、このワイヤーは、トからチの間においてワイヤー導入管Ｃ５の中を通す。ワイヤー導入管Ｃ５はトからチの間において、リング外周に沿って固定しておく。このワイヤー導入管Ｃ５はブレーキ機構基盤部Ｃ３から回転掛け棒Ｂまで徐々に斜めに降下させて取り付ける。
【００２５】
上記装置により、回転掛け棒Ｂに外力を加えて、停止棒Ａと回転掛け棒Ｂを引き離そうとする際に、ワイヤー線が回転掛け棒Ｂの回転方向に移動し、Ｃ２の一点ホが引っ張られる。結果、Ｃ２のニ部を軸としＣ２が半回転し、連動したハの回転によりＣ１の両端イ、ロが締め付けられる。つまり、中心支柱を締め付け、ブレーキがかかることになる。
【００２６】
回転掛け棒Ｂの外力を除くと、圧縮バネＤ２の力で回転掛け棒Ｂは元の位置に戻り、一連の動きで、ワイヤー、ブレーキ機構Ｃは元の位置に戻る。従って、Ｃ２による中心支柱へのブレーキも解消される。
【００２７】
図７は、ブレーキ機構の別例Ｅを示す図である。Ｃ１の薄板バネの代わりに図５に示すＥ１を用いる。Ｅ１は薄板で略長方形状であり、中間部にくし歯型の多孔を設ける。このＥ１に、ブレーキを掛けた際、中心支柱をしっかり挟持するために、摩擦材として弾力性の有る、薄いゴム状板を貼付する。このＥ１を両端部に向かって略三角形状に細めてゆき、先端部に微小孔リ、ヌを設ける。
【００２８】
図８はブレーキ機構の別例Ｅの平面図と断面図である。Ｃ２に用いた略勾玉形に近い無定型の平板の代わりにＥ２、Ｅ３、Ｅ４、の平板を用いる。Ｅ２、Ｅ３は、一端に微小孔ル、ヲ、多端に円孔ワ、カ、が設けられた楕円形状の平板であり、Ｅ４は円孔ヨ、タ、レ、が設けられた略三角形に近い無定型の平板である。Ｅ２、とＥ３の微小孔ル、ヲ、は前記Ｅ１の微小孔リ、ヌと繋着する。繋着状態が安定するよう、前記Ｅ１の微小孔リ、ヌはＥ１の横手方向における中心から両端にＥ２、Ｅ３の厚み分だけずらして微小孔を設ける。Ｅ２、Ｅ３の円孔ワ、カと、Ｅ４の円孔タは、小サイズのスタットボルト状ボルトを用い、遊嵌軸着する。この一点を（ａ）とすると、（ａ）を中心にＥ２、Ｅ３、Ｅ４は回転することができる。
【００２９】
Ｅ４の別穴部ヨは、ブレーキ機構基盤部Ｃ３にビスで軸着する。また、Ｅ４の３つめの穴部レには細ワイヤー線を繋ぎ、このワイヤー線の別の端部は、回転掛け棒Ｂの上面部（ヘ）に、ビスで止める。前記ブレーキ機構Ｃ同様に、このワイヤーは、トからチの間においてワイヤー導入管Ｃ５の中を通す。ワイヤー導入管Ｃ５はトからチの間において、ハンガー上部外周に沿って固定しておく。このワイヤー導入管Ｃ５はブレーキ機構基盤部Ｃ３から回転掛け棒Ｂ上部（ヘ）まで徐々に斜めに降下させて取り付ける。
【００３０】
図９は、中心支柱のジョイント図である。ジョイントは上部ジョイント部Gとジョイント部Hからなり、上部ジョイント部Gは上部に回転可能な構造の吊り下げ部Ｉと、下部にジョイント機構の雌ネジを設けてある。ジョイント部Hは、上部に雄ネジを設け下部にリングハンガーの脱落防止と回転を滑らかにするための脱落防止部Ｊ及び雌ネジを設けた。ジョイント部Hを必要数接続することにより各々の長さを設定できるとともに、接続部Hにリングハンガーを数個ずつ設置し、Ｊの脱落防止部で支えることにより、中心支柱にたくさんのリングハンガーを設置した場合に比較して、ハンガーの回転とストップがスムーズに誘導されるようになる。
【実施例２】
【００３１】
図１０は、前記中心支柱の上部ジョイントを用いて下部ジョイントを回転可能にし、下部ジョイントに組み込むハンガー形状は、直線で一部欠成した半円状にし、ハンガー全体は回転させない構造にする。この場合においては、前記ブレーキ機構であるＣを必要とせず、半円リングと圧縮バネのみを左右交互に取り付けることにより、前記のように、回転掛け棒に外力を加えると、右側回転掛け棒は左方向（右回り）に動き、左側回転掛け棒は右方向（左回り）に動く。外力を除くと、圧縮バネの力で回転掛け棒は元の位置に戻る。この場合、ハンガー全体の回転は無いが、上部ジョイントが回転するため必要とする吊り下げ部に下げることは可能である。また、半円状の直線部分が壁やクロゼットの壁面に添うため収納場所も少なくてすむ。
【００３２】
以上、実施例としてネクタイを用いているがリングハンガーの大きさと、圧縮バネの大きさを変えることで、ネッカチーフ、ベルト、ズボンなどあらゆるものに利用でき、確実に挟持するため利便性が良い。なお、バネ機構として圧縮バネを用いたが、引っ張りバネ等を用いても良いことは言うまでもない。
【図面の簡単な説明】
【００３３】
【図１】回転及び長さ自在のハンガーの分解斜視図
【図２】バネ部図
【図３】ブレーキ部図
【図４】上部下部の壁面図
【図５】ブレーキ機構に使用の締部図
【図６】ブレーキ部の平面図及び断面図
【図７】別ブレーキ部図
【図８】別ブレーキ部の平面図及び断面図
【図９】中心支柱のジョイント部図
【図１０】半円状リングハンガー図
【符号の説明】
【００３４】
Ａ・・・・・第一の挟持棒である停止棒
Ｂ・・・・・第二の挟持棒である回転掛け棒
Ｃ・・・・・ブレーキ機構
Ｃ１・・・・ブレーキ機構部品薄板バネ
Ｃ２・・・・ブレーキ機構部品無定型の平板
Ｃ３・・・・ブレーキ機構部品ブレーキ機構基盤
Ｃ４・・・・ブレーキ機構ワイヤー
Ｃ５・・・・ブレーキ機構ワイヤー導入管
Ｄ・・・・・圧縮機構
Ｄ１・・・・圧縮機構用リング
Ｄ２・・・・圧縮機構用圧縮バネ
Ｅ・・・・・ブレーキ機構別例
Ｅ１・・・・ブレーキ機構部品薄板締め部図
Ｅ２・・・・ブレーキ機構部品無定型の平板
Ｅ３・・・・ブレーキ機構部品無定型の平板
Ｅ４・・・・ブレーキ機構部品無定型の平板
１・２・１・４・５・６・・リング部中間仕切部
Ｇ・・・・・上部ジョイント部
Ｈ・・・・・ジョイント部
Ｉ・・・・・吊り下げ部
Ｊ・・・・・脱落防止部
イ、ハ、ホ、・・・・・・Ｃ１、Ｃ２の微小孔部
ロ、ニ、・・・・・・・・Ｃ１、Ｃ２の円穴部
リ、ヌ、ル、オ、・・・・Ｅ１、Ｅ２、Ｅ３の微小孔部
ワ、カ、ヨ、タ、レ、・・Ｅ２、Ｅ３の円穴部
ヘ、・・・・・・・・・・回転掛け棒上部のワイヤー取り付け部
ト〜チ・・・ワイヤー導入管入り口〜出口
【図１】
0003102341.tif 000003
【図２】
0003102341.tif 000004
【図３】
0003102341.tif 000005
【図４】
0003102341.tif 000006
【図５】
0003102341.tif 000007
【図６】
0003102341.tif 000008
【図７】
0003102341.tif 000009
【図８】
0003102341.tif 000010
【図９】
0003102341.tif 000011
【図１０】
0003102341.tif 000012